(57)【特許請求の範囲】
【請求項１】
ハウジング内に、移動する光学ヘッドを有する機構ユニットが組み込んである構成であり、コンピュータと接続されて使用される光ディスク装置において、
上記機構ユニットを金属板製のシールドケースで覆った構成とすると共に、
該光学ヘッドは、ガイド軸に嵌合しており該ガイド軸に沿って移動する構成であり、且つ、該ガイド軸と磁気的に吸引される永久磁石片を有する構成であり、
該金属板製のシールドケースは、上記の永久磁石片が移動する部分に対向する部分に、開口窓を有する構成としたことを特徴とする光ディスク装置。
【発明の詳細な説明】
【０００１】
【発明の属する技術分野】
本発明は光ディスク装置に係り、特に、コンピュータ本体と接続して使用される外付けタイプのＣＤ−ＲＯＭ装置等の光ディスク装置に関する。
【０００２】
【従来の技術】
コンピュータ本体の内部に組み込まれる光ディスク装置においては、電磁的妨害対策は、コンピュータ本体の箱によってなされている。しかし、コンピュータ本体と接続して使用される外付けタイプのディスク装置においては、光ディスク装置自体で、電磁的妨害対策を施す必要がある。
【０００３】
従来の外付けタイプの光ディスク装置において、電磁的妨害対策は、合成樹脂成形品であるハウジング及び蓋の内面に金属メッキ層を形成することによってなされていた。
【０００４】
【発明が解決しようとする課題】
ハウジング及び蓋の内面に金属メッキ層を形成することは、コストがかかり、光ディスク装置の製造コストが高くなっていた。また、電磁波をシールドする効果も低かった。
【０００５】
そこで、本発明は、上記課題を解決した光ディスク装置を提供することを目的とする。
【０００６】
【課題を解決するための手段】
請求項１の発明は、ハウジング内に、移動する光学ヘッドを有する機構ユニットが組み込んである構成であり、コンピュータと接続されて使用される光ディスク装置において、
上記機構ユニットを金属板製のシールドケースで覆った構成とすると共に、
該光学ヘッドは、ガイド軸に嵌合しており該ガイド軸に沿って移動する構成であり、且つ、該ガイド軸と磁気的に吸引される永久磁石片を有する構成であり、
該金属板製のシールドケースは、上記の永久磁石片が移動する部分に対向する部分に、開口窓を有する構成としたものである。
【０００７】
金属板製のシールドケースで覆うことにより、コストがかかる金属メッキ層の形成が不要となり、電磁波をシールドする効果も高くなる。
【０００９】
開口窓は、永久磁石片と金属板製のシールドケースのうち永久磁石片に最も近い部分との間の距離を長くして、永久磁石片の金属板製のシールドケースへの吸引力を減らす。これによって、光学ヘッドの移動の円滑性が保証される。
【００１０】
【発明の実施の形態】
図１（Ａ）、（Ｂ）は本発明の一実施例になる外付けタイプの光ディスク装置１を示す。図１（Ａ）は読み取り動作中の状態を示し、図１（Ｂ）は蓋体が開かれた状態を示す。Ｘ１−Ｘ２は幅方向、Ｙ１−Ｙ２は奥行き方向、Ｚ１−Ｚ２は高さ方向である。
【００１１】
光ディスク装置１は、ハウジング２と、ハウジング２の上面側に開閉可能に設けてある蓋体３と、ハウジング２の内部に組み込まれている機構ユニット４とを有する構成である。ハウジング２と蓋体３は、共に、合成樹脂成形部品である。
【００１２】
機構ユニット４は、図４に示すように、機構ユニット本体１０が合成樹脂成形部品である四角の枠体１１の内部に固定され、枠体１１がプリント基板１２上に固定された構造である。１３はブリキ板製の箱形状のシールド蓋部材であり、ユニット本体１０及び枠体１１を覆っている。
【００１３】
機構ユニット本体１０は、四角形状の金属板部材２２上に、ターンテーブル２０及び光学ヘッド２１を設けた構成である。ターンテーブル２０はモータ２３のスピンドルに固定してあり、このモータ２３が金属板部材２２に固定してある。金属板部材２２上に、光学ヘッド２１用の主ガイドレール２４と副ガイドレール２５とがその両端を固定されて平行に配置してある。主ガイドレール２４と副ガイドレール２５とは、共に、鉄製の丸棒である。光学ヘッド２１は、上面に対物レンズ２６、内部に半導体レーザ、フォーカス駆動部、トラッキング駆動部（共に図示せず）を有し、Ｘ２側のガイド穴２１ａを主ガイドレール２４に嵌合させ、Ｘ１側のガイド溝２１ｂを副ガイドレール２５に嵌合させて、Ｙ１−Ｙ２方向に移動可能に支持されている。Ｘ１側のうち副ガイドレール２５の真上の位置には、ガイド溝２１ｂと副ガイドレール２５との間のガタツキを防止するための永久磁石片２７が組み込まれている。光学ヘッド２１の上記のガイド穴２１ａが形成してある側には、ラック２８が固定してある。また、金属板部材２２の下面に、送りモータ２９、ウォームギヤ機構３０、ラック・ピニオン機構３１が設けてある。
【００１４】
送りモータ２９が駆動されると、ウォームギヤ機構３０及びラック・ピニオン機構３１を介して、光学ヘッド２１が、主ガイドレール２４と副ガイドレール２５とに支持されつつ、Ｙ１−Ｙ２に移動される。永久磁石片２７が副ガイドレール２５に磁気的に吸引され、光学ヘッド２１のＸ１側にＺ２方向の磁気的力Ｆが発生し、ガイド溝２１ｂが副ガイドレール２５に対してＺ２方向に寄せられ、溝２１ｂの内面のうちＺ１側の面２１ｃが副ガイドレール２５に常に当たり続ける。よって、光学ヘッド２１は、ガイド溝２１ｂと副ガイドレール２５との間の遊びの影響をうけないで安定に移動され、且つ、一定の姿勢を維持する。
【００１５】
ブリキ板製の箱形状のシールド蓋部材１３は、天板部４０と周囲の側面板部４１とを有し、側面板部４１の脚部４２がプリント基板１２のスリット１２ａに嵌合し半田付けされ、且つ、側面板部４１の開口４３を枠体１１の突起部１１ａに係止されて取り付けてある。脚部４２はプリント基板１２のアースパターンと電気的に接続してあり、シールド蓋部材１３はグランド電位となっている。
【００１６】
天板部４０は機構ユニット本体１０を覆っている。ここで、機構ユニット４及び光ディスク装置１の薄型化のために、天板部４０は出来るだけ低い位置に配置してある。この天板部４０には、光学ヘッド２１が移動する範囲とターンテーブル２０を露出させるための開口窓４４と、上記の永久磁石片２７が移動する範囲に対向する開口窓４５が形成してある。開口窓４５は、Ｙ１−Ｙ２に細長い形状を有する。
【００１７】
図２に示すように、ハウジング２の底板部２ａの上面には、金属板部材５０が固定してある。また、シールド蓋部材１３が取り付けられた機構ユニット本体１０は、そのプリント基板１２の下面を金属板部材５０に固定されている。金属板部材５０はグランド電位となっている。
【００１８】
なお、ハウジング２の上面には、光ディスク収容部６０が形成してある。光ディスク収容部６０にターンテーブル２０が突き出ている。蓋体３は光ディスク収容部６０を覆っている。
【００１９】
操作者が、図１（Ｂ）に示すように蓋体３を開き、光ディスク７０をターンテーブル２０上に装着し、蓋体３を閉じ、読み取りボタンを押すと、モータ２３、半導体レーザ、送りモータ２９が駆動され、光ディスク７０が回転され、光学ヘッド２１が移動され、レーザビームが光ディスク７０を相対的に走査して、情報の読み取りが行われる。光ディスク７０は、ＣＤ−ＲＯＭ、ＣＤ−Ｒ、ＣＤ−ＲＷ、ＤＶＤ等である。
【００２０】
光ディスク装置１が動作しているとき、機構ユニット本体１０のうち特に光学ヘッド２１内の半導体レーザの部分から、及びプリント基板１２から電磁波が発生する。この発生した電磁波は、シールド蓋部材１３及び金属板部材５０によってシールドされ、よって、光ディスク装置１の外部へ電磁波が放射されることが効果的に制限される。
【００２１】
ここで、上記の開口窓４５が形成されていない構成にあっては、天板部４０が永久磁石片２７に接近しているため、本来は副ガイドレール２５に吸引されるべき永久磁石片２７が天板部４０にも吸引され、場合によっては、永久磁石片２７本来の機能が損なわれて、光学ヘッド２１の移動の安定化が損なわれる虞れがある。
【００２２】
そこで、本実施例においては、上記の開口窓４５を形成してある。この開口窓４５が形成されていることによって、天板部４０と永久磁石片２７との間の距離は、天板部４０のうち開口窓４５に臨む部分と永久磁石片２７との間の距離ｄ１となって、開口窓４５を形成しない場合の天板部４０と永久磁石片２７との間の距離ｄ２に比べて長くなる。よって、永久磁石片２７は天板部４０には吸引されにくなり、永久磁石片２７とシールド蓋部材１３との干渉が無くなり、永久磁石片２７は専ら副ガイドレール２５に吸引される状態となり、光学ヘッド２１は安定に移動する。
【００２３】
【発明の効果】
上述の如く、請求項１の発明は、ハウジング内に、移動する光学ヘッドを有する機構ユニットが組み込んである構成であり、コンピュータと接続されて使用されるディスク装置において、上記機構ユニットを金属板製のシールドケースで覆った構成としたものであるため、コストがかかる金属メッキ層の形成を不要とすることが出来、且つ、電磁波をシールドする効果を従来に比べて高くすることが出来る。
【００２４】
また、前記光学ヘッドは、ガイド軸に嵌合しており該ガイド軸に沿って移動する構成であり、且つ、該ガイド軸と磁気的に吸引される永久磁石片を有する構成であり、該金属板製のシールドケースは、上記の永久磁石片が移動する部分に対向する部分に、開口窓を有する構成としたものであるため、開口窓を形成したことによって、永久磁石片と金属板製のシールドケースのうち永久磁石片に最も近い部分との間の距離が長くなって、永久磁石片の金属板製のシールドケースへの吸引力が減らされ、これによって光学ヘッドの移動の円滑性を保証することが出来る。即ち、従来に比較して、製造コストが安価で、電磁波をシールドする効果が高くて、光学ヘッドの移動の円滑性が損なわれない光ディスク装置を実現することが出来る。
【図面の簡単な説明】
【図１】本発明の一実施例になる光ディスク装置を示す図である。
【図２】図１（Ａ）中、II-II線に沿う断面図である。
【図３】図２中の機構ユニットの平面図である。
【図４】図３の機構ユニットをそのシールド蓋部材を外した状態で示す斜視図である。
【符号の説明】
１  外付けタイプの光ディスク装置
２  ハウジング
３  蓋体
４  機構ユニット
１０  機構ユニット本体
１２  プリント基板
１３  シールド蓋部材
２０  ターンテーブル
２１  光学ヘッド
２１ａ  ガイド穴
２１ｂ  ガイド溝
２４  主ガイドレール
２５  副ガイドレール
２７  永久磁石片
４０  天板部
４５  細長い開口窓
【図１】
0004045809.tif 000002
【図２】
0004045809.tif 000003
【図３】
0004045809.tif 000004
【図４】
0004045809.tif 000005